(57)【要約】【課題】縦軸型の油圧ポンプを用いたポンプ付きゲートに比べてポンプを小型、軽量化することが可能であり、浅い水路であっても水路の掘り下げを要することなしに使用することができ、流下物による影響も少ないばかりか、ゲートを閉じた状態でも自然流下が可能である。　また、回転軸を扉体の幅方向に沿って配置した油圧ポンプ式のポンプ付きゲートに比べて扉体の厚みを薄くすることができる。【解決手段】水路１に昇降可能に配置された扉体３によりゲートの開閉を行うとともに扉体３の所定位置に形成した水路１の流れ方向へ形成した円柱形の通路７に油圧モータにより回転する羽根車９を用いたポンプ１０が軸線を扉体３の幅方向へ向けて配置されている。【選択図】　　　　図２
2004132046.tif 000002
【特許請求の範囲】
【請求項１】
水路に昇降可能に配置された扉体によりゲートの開閉を行うとともに前記扉体の所定位置に形成した前記水路の流れ方向へ形成した円柱形の通路に油圧モータにより回転する羽根車を用いたポンプが軸線を前記扉体の幅方向へ向けて配置されていることを特徴とするポンプ付きゲート。
【請求項２】
前記ポンプが前記通路の中心軸に沿って固定された油圧モータの外周に羽根車のボスが配置されている請求項１記載のポンプ付きゲート。
【発明の詳細な説明】
【０００１】
【発明の属する技術分野】
本発明は、河川や水路に設置するポンプ付きゲートに関するものである。
【０００２】
【従来の技術】
従来、河川や水路において洪水の虞がある場合などに下流側の水が上流側へ逆流するのを防止するとともに、上流側の水を下流側へ排水することにより上流側の増水を押さえる目的でポンプ付きゲートが設置されている。
【０００３】
そして、従来のポンプ付きゲートは昇降可能な扉体の所定位置に形成された通路に誘導電動機により回転させられるポンプが配置されていた。
【０００４】
ところが、誘導電動機は、起動時において急激に立ち上がることから、起動時から定常運転に至るまでの間に不安定な状態が生じ、更に、ある程度の吐出流量を確保するとなると大型で高出力の誘導電動機が必要となり、ポンプ自体が大型化して扉の重量化により設備全体を大型化する必要があり、高額の設備費が必要である、などの問題点があった。
【０００５】
そこで、起動時から定常運転までも円滑で、更に小型で軽量化を図ることができるポンプ付きゲートとして、油圧モータを用いたポンプを扉体に設置したものが、特開平１０−３１７３５−７号公報、特願２００１−２７１７８１号に提示されている。
【０００６】
【発明が解決しようとする課題】
しかしながら、特開平１０−３１７３５７号公報に提示されている油圧ポンプは縦軸型であり、小型化が困難で、場合によっては水路の掘り下げが必要なように浅い水路では使用しにくいという問題点があり、また、流下物によりポンプが破損しやすいという問題もある。
【０００７】
また、特願２００１−２７１７８１号に提示されているポンプ付きゲートは、油圧ポンプが回転軸を扉体の幅方向に沿って配置したものであり、扉体の厚みを薄くすることができない。
【０００８】
本発明は斯かる点に鑑みてなされたものであり、河川や水路の幅や深さに囚われずに設置が可能であるばかりか、薄い扉体に設置することが可能であり、流下物によっても損傷しにくいポンプ付きゲートを提供するものである。
【０００９】
【課題を解決するための手段】
前記課題を解決するため、本発明は、水路に昇降可能に配置された扉体によりゲートの開閉を行うとともに前記扉体の所定位置に形成した前記水路の流れ方向へ形成した円柱形の通路に油圧モータにより回転する羽根車を用いたポンプが軸線を前記扉体の幅方向に向けて配置されていることを特徴とする。
【００１０】
また、前記ポンプが前記通路の中心軸に沿って固定された油圧モータの外周に羽根車のボスを配置することにより、油圧ポンプの軸方向の長さをより短くすることができる。
【００１１】
【発明の実施の形態】
次に、本発明の実施の形態を図面に基づいて説明する。
【００１２】
図１乃至図３は本発明の好ましい実施の形態の一例を示すものであり、水路１の両岸に形成されたガイド溝２，２に扉体３が昇降可能に配置されているとともに、前記扉体３は、その頂面３ａに取り付けられている吊持スピンドル４を介して水路１を跨いで上方に配置される梁５に設けられた昇降手段６に連結されている。
【００１３】
前記昇降手段６は油圧モータにより駆動する原動機を岸側に備えており（図示せず）、これを正方向または逆方向に駆動させて前記扉体３を昇降させることによりゲートを開閉する。
【００１４】
また、扉体３は所定位置において水路１の流れ方向へ形成した円柱形の通路７に油圧モータ８により回転する羽根車９を用いたポンプ１０が軸線を前記扉体３の幅方向に向けて配置されている。
【００１５】
更に、詳しく説明すると、前記扉体３に形成された通路７に嵌挿される円筒形のケース１１内の軸心位置に、内部に油圧モータ８を収容した砲弾形のカバー１２が球面側を前記水路１の上流１ａ側に平面側を下流１ｂ側に向けた状態でケース１１とカバー１２との間に架設された複数（本実施の形態では５）の固定部材１３により固定されており、また、前記カバー１２の平面側に突出させた油圧モータ８の回転軸に羽根車９が軸着されている。
【００１６】
尚、図面中、符号１４は扉体１に形成された通路７の下流１ｂ側の開口端上部において蝶着されたフラップ弁、符号１５は油圧モータ８に連結された送油管である。この送油管１５は岸側に備えられた油圧ポンプ（図示せず）に連結されており、特に、中間部分は例えば高圧ゴム管のようにフレキシブルに形成されて扉体３の昇降に追随可能とされている。
【００１７】
このように構成される本実施の形態は、ゲートを閉じた状態、即ち扉体３を降下させた状態で自然流下が可能であるが、通常は扉体３を上昇位置としてゲートを開くことにより、水路１の上流１ａ側の水を下流１ｂ側へと流下させることができ、更に、扉体３の上昇位置を変化させることにより流下量を調整することができる。
【００１８】
また、洪水の虞がある場合には扉体３を下降させてゲートを閉じることによりフラップ弁１４と協働により下流１ｂ側からの上流１ａ側への逆流を防止することができる。更に、必要であれば、扉体３に設置した油圧モータ８を起動させてポンプ１０により上流１ａ側の水を下流１ｂ側へと強制的に流下させることができる。このときの水量は油圧モータ８の出力を加減することにより調整できる。
【００１９】
従って、本実施の形態は、従来のポンプ付きゲートと同様に洪水を防ぐなどをの作用を奏することができることはいうまでもなく、油圧モータ８を駆動源としているので従来の誘導電動機を用いた場合と異なり、起動から定常運転までの間も円滑で振動などの発生もなく、ポンプ１０全体を小型化できることから扉体３の幅内に設置可能で軽量化を図ることもできる。特に、ポンプ１０が軸線を扉体３の幅方向に向けて配置したことにより縦軸の油圧ポンプを有する場合に比べてより小型化が可能であるとともに狭い水路幅にも適用可能であり、更に浅い水路でも使用可能であり、流下物によるポンプ１０の破損も生じにくくゲートを閉じたままで自然流下させることも可能である。また、油圧ポンプが回転軸を扉体３の幅方向に沿って配置したものに比べて扉体３の厚みを薄くすることができる。
【００２０】
図４は本発明の異なる実施の形態を示すものであり、全体的な構成は前記図１および図２に示した実施の形態とほぼ同様であるが、扉体３に形成された通路７に嵌挿される円筒形のケース１１の上流１ａ側の開口端部が湾曲状に拡開して吸い込みやすくしている点、およびポンプ１０が前記通路７の中心軸に沿って固定された油圧モータ８の外周に羽根車９のボス９ａを有している点が異なる。
【００２１】
即ち、扉体３に形成された通路７に嵌挿される円筒形のケース１１内の軸心位置に、円筒ケース状の固定部１６がケース１１とカバー１２との間に架設された複数の固定部材１３により固定されており、この固定部材１３の後方、つまり、上流１ａ側に油圧モータ８が支持されているとともにこの油圧モータ８の後方側に突出した回転軸１７にボス９ａを介して羽根車９が軸着されており、殊に、羽根車９の砲弾形のボス９ａが前記油圧モータの外周に配置されている。そのため、ポンプ全体を簡単な構成で短軸に形成することができることから扉体３の厚みを薄くすることができ、全体として更なる軽量化を図ることができる。
【００２２】
【発明の効果】
本発明によると、縦軸型の油圧ポンプを用いたポンプ付きゲートに比べて更にポンプを小型、軽量化することが可能であり、浅い水路であっても水路の掘り下げを要することなしに使用することができ、流下物による影響も少ないばかりか、ゲートを閉じた状態でも自然流下が可能である。
【００２３】
また、回転軸を扉体の幅方向に沿って配置した油圧ポンプ式のポンプ付きゲートに比べて扉体の厚みを薄くすることができる。
【００２４】
更に、前記ポンプが前記通路の中心軸に沿って固定された油圧モータの外周に羽根車のボスが配置されている場合には、ポンプ全体を更に短軸化することができ、扉体の薄型化をはかることができる。
【図面の簡単な説明】
【図１】本発明の実施の形態を示す正面図。
【図２】図１の縦断面部分図。
【図３】図２の拡大部分図。
【図４】本発明の異なる実施の形態における要部を示す縦断面図。
【符号の説明】
１　水路、３　扉体、７　通路、８　油圧モータ、９　羽根車、９ａ　ボス、１０　ポンプ
【図１】
2004132046.tif 000003
【図２】
2004132046.tif 000004
【図３】
2004132046.tif 000005
【図４】
2004132046.tif 000006